(57)【要約】  制御部（３）、特にセル制御部、好ましくはバッテリ制御部と、電気化学セル（１）又はバッテリのパラメータデータ（ＤＰａｒ．）を検出するための、前記制御部（３）に接続された少なくとも１つのセンサ（４）と、好ましくは非揮発性メモリ、特にフラッシュメモリを有する貯蔵装置（５）と、データ伝送ユニット（２）とを有する前記電気化学セル（１）、好ましくは複数の前記電気化学セル（１）を有するバッテリの取り扱い及び保守方法は、（Ｓ１）前記電気化学セル（１）又は前記バッテリのパラメータデータ（ＤＰａｒ．）を検出するステップと、（Ｓ２）検出された前記パラメータデータ（ＤＰａｒ．）を前記制御部（３）に供給するステップと、（Ｓ３）前記制御部（３）において、供給された前記パラメータデータ（ＤＰａｒ．）に応じて制御データ（ＤＳｔｒ．）を計算するステップと、（Ｓ４）前記制御データ（ＤＳｔｒ．）を前記貯蔵装置（５）に供給するステップと、（Ｓ５）前記貯蔵装置（５）から前記データ伝送ユニット（２）に前記制御データ（ＤＳｔｒ．）を読み出すステップと、（Ｓ６）読み出された前記制御データ（ＤＳｔｒ．）を前記データ伝送ユニット（２）を通じて表示装置に伝送する、特に読み出された前記制御データ（ＤＳｔｒ．）を前記データ伝送ユニット（２）を通じて前記表示装置に無線で伝送するステップ、とを有している。
2014511100.tif 000002
【特許請求の範囲】
【請求項１】
制御部（３）、特にセル制御部、好ましくはバッテリ制御部と、電気化学セル（１）又はバッテリのパラメータデータ（ＤＰａｒ．）を検出するための、前記制御部（３）に接続された少なくとも１つのセンサ（４）と、好ましくは非揮発性メモリ、特にフラッシュメモリを有する貯蔵装置（５）と、データ伝送ユニット（２）とを有する前記電気化学セル（１）、好ましくは複数の前記電気化学セル（１）を有するバッテリの取り扱い及び保守方法において、
前記方法は、
（Ｓ１）前記電気化学セル（１）又は前記バッテリのパラメータデータ（ＤＰａｒ．）を検出するステップと、
（Ｓ２）検出された前記パラメータデータ（ＤＰａｒ．）を前記制御部（３）に供給するステップと、
（Ｓ３）前記制御部（３）において、供給された前記パラメータデータ（ＤＰａｒ．）から制御データ（ＤＳｔｒ．）を計算するステップと、
（Ｓ４）前記制御データ（ＤＳｔｒ．）を前記貯蔵装置（５）に供給するステップと、
（Ｓ５）前記貯蔵装置（５）から前記データ伝送ユニット（２）に前記制御データ（ＤＳｔｒ．）を読み出すステップと、
（Ｓ６）読み出された前記制御データ（ＤＳｔｒ．）を前記データ伝送ユニット（２）を通じて表示装置に伝送する、特に読み出された前記制御データ（ＤＳｔｒ．）を前記データ伝送ユニット（２）を通じて前記表示装置に無線で伝送するステップ、と
を有していることを特徴とする取り扱い及び保守方法。
【請求項２】
電気化学セル（１）のパラメータデータ（ＤＰａｒ．）を検出するための少なくとも１つのセンサ（４）と、好ましくは非揮発性メモリ、特にフラッシュメモリを有する貯蔵装置（５）と、データ伝送ユニット（２）とを有する前記電気化学セル（１）、好ましくは複数の前記電気化学セル（１）を有するバッテリの取り扱い及び保守方法において、
前記方法は、
（Ｓ１）前記電気化学セル（１）又は前記バッテリのパラメータデータ（ＤＰａｒ．）を検出するステップと、
（Ｓ４ａ）検出された前記パラメータデータ（ＤＰａｒ．）を前記貯蔵装置（５）に供給するステップと、
（Ｓ５ａ）前記貯蔵装置（５）から前記データ伝送ユニット（２）に、貯蔵された前記パラメータデータ（ＤＰａｒ．）を読み出すステップと、
（Ｓ６ａ）読み出された前記パラメータデータ（ＤＰａｒ．）を前記データ伝送ユニット（２）を通じて表示装置に伝送する、特に読み出された前記パラメータデータ（ＤＰａｒ．）を前記データ伝送ユニット（２）を通じて前記表示装置に無線で伝送するステップ、と
を有していることを特徴とする取り扱い及び保守方法。
【請求項３】
前記センサ（４）によって検出される前記電気化学セル（１）又は前記バッテリのパラメータデータ（ＤＰａｒ．）の内少なくとも１つは、
‐前記電気化学セル（１）若しくは前記バッテリの充電状態、
‐前記電気化学セル（１）若しくは前記バッテリの温度、
‐前記電気化学セル（１）若しくは前記バッテリの電圧、
‐前記電気化学セル（１）若しくは前記バッテリの負荷、
‐前記電気化学セル（１）若しくは前記バッテリの充電挙動、
‐保護装置（６）、特にＰＴＣサーミスタ若しくは電流遮断装置の状態、
‐前記センサ（４）の機能、又は、
‐前記電気化学セル（１）若しくは前記バッテリ内の圧力、
の内少なくとも１つのパラメータを含むパラメータ群から選択されることを特徴とする請求項１又は２に記載の取り扱い及び保守方法。
【請求項４】
前記方法は、
（Ｓ７）前記電気化学セル（１）又は前記バッテリに割り当てられたバーコード情報を読み出すステップ、
を有していることを特徴とする請求項１から３のいずれか一項に記載の取り扱い及び保守方法。
【請求項５】
前記方法は、
（Ｓ８、Ｓ８ａ）前記制御データ（ＤＳｔｒ．）が所定の制御値（ＷＳｗｔ．）を有するか、又は、前記パラメータデータ（ＤＰａｒ．）が所定のパラメータ値（ＷＰａｒ．）を有するかを決定するステップと、
（Ｓ９）前記ステップ（Ｓ８）又は前記ステップ（Ｓ８ａ）において、前記所定の制御値（ＷＳｗｔ．）又は前記所定のパラメータ値（ＷＰａｒ．）が決定される場合に、指示が出されるステップと、
を有していることを特徴とする請求項１から４のいずれか一項に記載の取り扱い及び保守方法。
【請求項６】
前記方法は、
（Ｓ８’、Ｓ８ａ’）前記制御データ（ＤＳｔｒ．）が所定の制御値（ＷＳｗｔ．）を有さないか、又は、前記パラメータデータ（ＤＰａｒ．）が所定のパラメータ値（ＷＰａｒ．）を有さないかを決定するステップと、
（Ｓ９）前記ステップ（Ｓ８’）又は前記ステップ（Ｓ８ａ’）において、前記所定の制御値（ＷＳｗｔ．）又は前記所定のパラメータ値（ＷＰａｒ．）が決定されない場合に、指示が出されるステップと、
を有していることを特徴とする請求項１から４のいずれか一項に記載の取り扱い及び保守方法。
【請求項７】
前記方法は、
（Ｓ８ｂ、Ｓ８ｃ）前記ステップ（Ｓ７）において読み出されたバーコード情報に応じて、前記制御データ（ＤＳｔｒ．）が所定の制御値（ＷＳｗｔ．）を有するかを決定する、又は、前記ステップ（Ｓ７）において読み出されたバーコード情報に応じて、前記パラメータデータ（ＤＰａｒ．）が所定のパラメータ値（ＷＰａｒ．）を有するかを決定するステップと、
（Ｓ９）前記ステップ（Ｓ８ｂ）又は前記ステップ（Ｓ８ｃ）において、前記所定の制御値（ＷＳｗｔ．）又は前記所定のパラメータ値が決定される場合に、指示が出されるステップと、
を有していることを特徴とする請求項４に記載の取り扱い及び保守方法。
【請求項８】
前記方法は、
（Ｓ８ｂ’、Ｓ８ｃ’）前記ステップ（Ｓ７）において読み出されたバーコード情報に応じて、前記制御データ（ＤＳｔｒ．）が所定の制御値（ＷＳｗｔ．）を有さないかを決定する、又は、前記ステップ（Ｓ７）において読み出されたバーコード情報に応じて、前記パラメータデータ（ＤＰａｒ．）が所定のパラメータ値（ＷＰａｒ．）を有さないかを決定するステップと、
（Ｓ９）前記ステップ（Ｓ８ｂ’）又は前記ステップ（Ｓ８ｃ’）において、前記所定の制御値（ＷＳｗｔ．）又は前記所定のパラメータ値が決定されない場合に、指示が出されるステップと、
を有していることを特徴とする請求項４に記載の取り扱い及び保守方法。
【請求項９】
指示が出されるというステップ（Ｓ９）は、
（Ｓ１０）前記電気化学セル（１）若しくは前記バッテリを前記データ伝送ユニット（２）を通じて作動するステップ、
（Ｓ１１）前記電気化学セル（１）若しくは前記バッテリの処理を実行するステップ、又は、
（Ｓ１２）前記電気化学セル（１）若しくは前記バッテリを輸送に供するステップ、
の内少なくとも１つのステップを有していることを特徴とする請求項５又は８に記載の取り扱い及び保守方法。
【請求項１０】
前記センサ（４）によって検出される前記電気化学セル（１）又は前記バッテリのパラメータデータ（ＤＰａｒ．）の内少なくとも１つは、
‐前記電気化学セル（１）若しくは前記バッテリ（１）内で既に行われた充電サイクルの数、
‐前記電気化学セル（１）若しくは前記バッテリ内で既に行われた充電サイクルの経過、
‐最後のフル充電の際の前記電気化学セル（１）若しくは前記バッテリの容量、
‐前記電気化学セル（１）若しくは前記バッテリの最初の容量、
‐最後のフル充電の際の前記電気化学セル（１）若しくは前記バッテリの最大電圧、
‐前記電気化学セル（１）若しくは前記バッテリの最初の電圧、又は、
‐前記電気化学セル（１）若しくは前記バッテリの製造者、
の内少なくとも１つのパラメータを含むパラメータ群から選択されることを特徴とする請求項１から９のいずれか一項に記載の取り扱い及び保守方法。
【請求項１１】
制御部（３）、好ましくはバッテリ制御部、特にセル制御部と、電気化学セル（１）又はバッテリのパラメータデータを検出するための少なくとも１つのセンサ（４）と、好ましくは非揮発性メモリ、特にフラッシュメモリを有する少なくとも１つの貯蔵装置（５）と、少なくとも１つの信号伝達ユニット（２）、特に無線信号伝達ユニット（２）とを有する電気化学セル（１）において、
前記電気化学セル（１）が、請求項１から１０のいずれか一項に記載の方法を実施するために構成されていることを特徴とする電気化学セル（１）。
【請求項１２】
前記センサ（４）は、前記電気化学セル（１）又は前記バッテリのパラメータデータ（ＤＰａｒ．）を検出するために構成されており、前記パラメータデータは、
‐前記電気化学セル（１）若しくは前記バッテリの充電状態、
‐前記電気化学セル（１）若しくは前記バッテリの温度、
‐前記電気化学セル（１）若しくは前記バッテリの電圧、
‐前記電気化学セル（１）若しくは前記バッテリの負荷、
‐前記電気化学セル（１）若しくは前記バッテリの充電挙動、
‐前記電気化学セル（１）に接して、若しくは、前記電気化学セル（１）内に配置された保護装置（６）、特にＰＴＣサーミスタ若しくは電流遮断装置の状態、
‐前記センサ（４）の機能、又は、
‐前記電気化学セル（１）若しくは前記バッテリ内の圧力、
の内少なくとも１つのパラメータを含むパラメータ群から選択されることを特徴とする請求項１１に記載の電気化学セル（１）。
【請求項１３】
前記センサ（４）は、
‐充電状態センサユニット、
‐温度センサユニット、
‐電圧センサユニット、又は、
‐圧力センサユニット、
の内少なくとも１つのセンサユニットを有することを特徴とする請求項１１又は１２に記載の電気化学セル（１）。
【請求項１４】
前記貯蔵装置（５）は、
‐前記電気化学セル（１）若しくは前記バッテリ内で既に行われた充電サイクルの数、
‐前記電気化学セル（１）若しくは前記バッテリ内で既に行われた充電サイクルの経過、
‐最後のフル充電の際の前記電気化学セル（１）若しくは前記バッテリの容量、
‐前記電気化学セル（１）若しくは前記バッテリの最初の容量、
‐最後のフル充電の際の前記電気化学セル（１）若しくは前記バッテリの最大電圧、
‐前記電気化学セル（１）若しくは前記バッテリの最初の電圧、又は、
‐前記電気化学セル（１）若しくは前記バッテリの製造者、
の内少なくとも１つのパラメータを貯蔵するために構成されていることを特徴とする請求項１１から１３のいずれか一項に記載の電気化学セル（１）。
【請求項１５】
前記電気化学セル（１）又は前記バッテリを、無線の前記信号伝達ユニット（２）を通じて作動するために構成された作動装置（７）を特徴とする請求項１１から１４のいずれか一項に記載の電気化学セル（１）。
【請求項１６】
請求項１１から１５のいずれか一項に記載の電気化学セル（１）を複数有するバッテリ。
【発明の詳細な説明】
【技術分野】
【０００１】
優先権出願DE10-2011-015746の全内容は、参照することにより本願に組み込まれる。
【背景技術】
【０００２】
本発明は、電気化学セルの取り扱い及び保守方法と、当該電気化学セルを有するバッテリの取り扱い及び保守方法と、当該方法を実施するために構成された電気化学セルと、当該電気化学セルを有する対応するバッテリと、に関する。
【０００３】
電気化学エネルギー貯蔵装置は、以下においては電気化学セル又はガルバニセルとも表記するが、積層可能なユニットの形状で製造されることが多く、当該ユニットから、複数のセルを統合することによって、いわゆるバッテリが、様々な用途のため、特に電気によって駆動される自動車において使用するために製造され得る。本発明は、自動車内での使用に関連して説明されるが、当該方法及び対応して構成された電気化学セル又は当該バッテリは、自動車とは無関係に、例えば固定して使用する際にも動作可能であることを指摘しておく。
【０００４】
先行技術からは、電気化学セル又はバッテリの取り扱い及び保守方法と、対応して構成された電気化学セル又はバッテリが知られているが、その取り扱い及び保守は複雑である。
【発明の概要】
【発明が解決しようとする課題】
【０００５】
本発明の課題は、電気化学セル及び／又はバッテリの取り扱い及び保守に関する改善された技術的教示を記載することにある。
【課題を解決するための手段】
【０００６】
本課題は、請求項１に記載の電気化学セル又は複数の電気化学セルを有するバッテリの取り扱い及び保守方法によって、請求項１１に記載の電気化学セルによって、及び、請求項１６に記載の複数の電気化学セルを有するバッテリによって解決される。下位請求項は本発明の有利な更なる構成に関する。
【０００７】
第１の態様によると、制御部、特にセル制御部、好ましくはバッテリ制御部と、電気化学セル又はバッテリのパラメータデータを検出するための、制御部に接続された少なくとも１つのセンサと、好ましくは非揮発性メモリ、特にフラッシュメモリを有する貯蔵装置と、データ伝送ユニットとを有する電気化学セル、好ましくは複数の電気化学セルを有するバッテリの取り扱い及び保守方法において、本課題は、当該方法が以下のステップを有することで解決される。すなわち、電気化学セル又はバッテリのパラメータデータを検出するステップ、検出されたパラメータデータをセル制御部に供給するステップ、制御部において供給されたパラメータデータに応じて制御データを計算するステップ、制御データを貯蔵装置に供給するステップ、貯蔵装置からデータ伝送ユニットに制御データを読み出すステップ、読み出された制御データをデータ伝送ユニットを通じて表示装置に伝送するステップ、特に読み出された制御データをデータ伝送ユニットを通じて表示装置に無線で伝送するステップである。
【０００８】
当該態様の利点は、ユーザが、例えば操作及び保守のために、制御データによって、電気化学セル又はバッテリの状態を容易に把握することが可能であり、それによって、必要に応じて、出力又は安全性を維持又は向上させるための措置が喚起されることにある。また、工場での保守作業の際に、電気化学セル又はバッテリを意図的に交換し、それによって、例えばアップグレードのために総出力を増大させることも可能である。特に、軽度に損傷した、又は、保守作業から脱落した電気化学セル又は電気化学セルの対応するアセンブリ又はバッテリの状態を決定するために、これは有利である。なぜなら、当該セル又は当該セルのアセンブリ又は当該バッテリを輸送することができないからである。加えて、特に大きなバッテリアセンブリの場合、組み立て又は保守に関する安全性の観点から、特に制御データ及び／又はパラメータデータに関する情報を良好に利用できることが有利である。これは、バッテリが故障した場合、保護部材が作動した場合、又は、バッテリマネジメントシステムＢＭＳ若しくはバッテリマネジメントモニタリングシステムＢＭＭＳ若しくは保護回路が故障した、若しくは、その動作を停止した場合に特に有利である。
【０００９】
この関連において、制御データとは、複数の制御データだけではなく、場合によっては個々の制御データでもあると理解すべきである。それに応じて、この関連において、所定の制御値とは、複数の所定の制御値だけではなく、場合によっては個々の所定の制御値でもあると理解すべきである。
【００１０】
これに関連して電気化学セルとは、電気化学エネルギー貯蔵装置であると理解すべきである。すなわち、エネルギーを化学的形態で貯蔵し、電気的形態で負荷（Verbraucher）に放出し、好ましくはまた、充電装置から電気的形態で受容することができる装置のことである。当該電気化学エネルギー貯蔵装置の重要な例は、ガルバニセル又は燃料電池である。電気化学セルは、電気的に異なる電荷を蓄えるための少なくとも１つの第１装置及び少なくとも１つの第２装置と、これら両方の装置の電気的な作用接続を形成するための手段とを有しており、電荷担体はこれら２つの装置の間を移動することができる。電気的作用接続を形成する手段とは、例えばイオン伝導体として作用する電解質であると理解される。
【００１１】
センサとは、電気化学セル又はバッテリの少なくとも１つのパラメータを検出するための装置であると理解される。これは、例えば電圧、電流、容量、電荷、又は、温度、圧力、又は、電気化学セル若しくはバッテリの取り付け位置等の電気的変量を検出するための装置であり得る。
【００１２】
更なる一態様によると、電気化学セル又はバッテリのパラメータデータを検出するための少なくとも１つのセンサと、好ましくは非揮発性メモリ、特にフラッシュメモリを有する貯蔵装置と、データ伝送ユニットとを有する電気化学セルの取り扱い及び保守方法において、本課題は、当該方法が以下のステップを有することで解決される。すなわち、電気化学セル又はバッテリのパラメータデータを検出するステップ、検出されたパラメータデータを貯蔵装置に供給するステップ、貯蔵装置からデータ伝送ユニットに貯蔵されたパラメータデータを読み出すステップ、読み出されたパラメータデータをデータ伝送ユニットを通じて表示装置に伝送するステップ、特に読み出されたパラメータデータをデータ伝送ユニットを通じて表示装置に無線で伝送するステップである。
【００１３】
当該態様の利点は、ユーザが、例えば操作及び保守のために、パラメータデータによって、電気化学セル又はバッテリの状態を容易に把握することが可能であり、それによって、必要に応じて、出力又は安全性を維持又は向上させるための措置が喚起されることにある。
【００１４】
この関連において、パラメータデータとは、複数のパラメータデータだけではなく、場合によっては個々のパラメータデータでもあると理解すべきである。それに応じて、この関連において、所定のパラメータ値とは、複数の所定のパラメータ値だけではなく、場合によっては個々の所定のパラメータ値でもあると理解すべきである。
【００１５】
好ましくは、取り扱い及び保守方法において、センサによって検出された電気化学セル又はバッテリのパラメータデータの内少なくとも１つは、以下のパラメータの内少なくとも１つを含むパラメータ群から選択される。すなわち、電気化学セル若しくはバッテリの充電状態（ＳＯＣ：state of charge）、電気化学セル若しくはバッテリの温度、電気化学セル若しくはバッテリの電圧、電気化学セル若しくはバッテリの負荷、電気化学セル若しくはバッテリの充電挙動、保護装置、特にＰＴＣサーミスタ若しくは電流遮断装置の状態、センサの機能、又は、電気化学セル若しくはバッテリ内の圧力である。好ましい一実施例では、保守の際及び／又は定期的にアルゴリズムが設けられており、当該アルゴリズムは、これらのパラメータ、特に温度、負荷、充電挙動等の動作状態、並びに／又は、電気化学セル若しくはバッテリ内若しくは電気化学セル若しくはバッテリに接している保護装置及びセンサの機能を検査し保存する。それによって、これらのデータは必要な場合に、検査に多額の費用を投じずとも、その場で利用可能になる。
【００１６】
更に、当該方法が、電気化学セル又はバッテリに割り当てられたバーコード情報を読み出すステップを有していると有利であることがわかっている。
【００１７】
特に好ましくは、当該方法は以下のステップの内少なくとも１つを有している。すなわち、データ伝送ユニットを通じて、表示された制御データ若しくは表示されたパラメータデータに応じて電気化学セル若しくはバッテリを作動するステップ、電気化学セル若しくはバッテリの処理を実行するステップ、又は、電気化学セル若しくはバッテリを輸送に供するステップである。当該方法の利点は、安全性が改善され得るということ、及び、構成要素が必要に応じて輸送を禁じられているか、又は、電気化学セル若しくはバッテリがどのような状態、特に充電状態（ＳＯＣ）にあるかを判断するための根拠が調達されることにある。大型及び小型アセンブリセルにおいて、ＰＴＣサーミスタ等の保護装置又は電流遮断装置等は、セル接触部に接して、又は、セル内部に、又は、バッテリに接して、又は、バッテリ内部に配置されている。セル又はバッテリは、その作動に際して、又は、作動後に、場合によっては高い充電状態において破損しているので、構成要素、保護装置の具体的な様式、バッテリの検査状態を逆に推量できると有利である。さもなければ、この推量は、電気‐電気化学的作業場又はバッテリ製造工場において、多額の費用を用いないと行うことができないからである。製造ロット、部材に与えられたＵＮ認証、部材及び保護装置の現在データを通じて、ユーザが詳細な予測及び／又は保守及び／又は修理を行うことが可能である。
【００１８】
更に、当該方法は以下のステップを有していても良い。すなわち、当該ステップにおいて表示された制御データと、当該ステップにおいて読み出されたバーコード情報とに応じて、又は、当該ステップにおいて表示されたパラメータデータと、当該ステップにおいて読み出されたバーコード情報とに応じて、データ伝送ユニットを通じて、電気化学セル又はバッテリを作動するステップである。当該方法の利点は、バッテリの動作の効率を改善し、システムの全効率に持続的に資するような特定のステップを喚起することができることにある。
【００１９】
取り扱い及び保守方法において、好ましくは、センサによって検出される電気化学セル又はバッテリのパラメータデータの内少なくとも１つが、以下のパラメータの内少なくとも１つを含むパラメータ群から選択される。すなわち、電気化学セル若しくはバッテリ内で既に行われた充電サイクルの数、電気化学セル若しくはバッテリ内で既に行われた充電サイクルの経過、最後のフル充電の際の電気化学セル若しくはバッテリの容量、電気化学セル若しくはバッテリの最初の容量、最後のフル充電の際の電気化学セル若しくはバッテリの最大電圧、電気化学セル若しくはバッテリの最初の電圧、又は、電気化学セル若しくはバッテリの製造者である。
【００２０】
第２の態様によると、制御部、特にセル制御部と、電気化学セル又はバッテリのパラメータデータを検出するための少なくとも１つのセンサと、好ましくは非揮発性メモリ、特にフラッシュメモリを有する少なくとも１つの貯蔵装置と、少なくとも１つの信号伝達ユニット、特に無線信号伝達ユニットとを有する電気化学セルにおいて、本課題は、電気化学セルが、前記方法の内１つを実施するために構成されていることで解決される。
【００２１】
好ましくは、電気化学セルにおいて、センサは、電気化学セル又はバッテリのパラメータデータを検出するように構成されている。当該パラメータデータは、以下のパラメータの内少なくとも１つを含むパラメータ群から選択される。すなわち、電気化学セル若しくはバッテリの充電状態、電気化学セル若しくはバッテリの温度、電気化学セル若しくはバッテリの電圧、電気化学セル若しくはバッテリの負荷、電気化学セル若しくはバッテリの充電挙動、電気化学セル若しくはバッテリに接して、若しくは電気化学セル若しくはバッテリ内に配置された保護装置、特にＰＴＣサーミスタ若しくは電流遮断装置の状態、センサの機能、又は、電気化学セル若しくはバッテリ内の圧力である。
【００２２】
更に、電気化学セルにおいて、センサは、以下のセンサユニットの内少なくとも１つを有していても良い。すなわち、充電状態センサユニット、温度センサユニット、電圧センサユニット、又は、圧力センサユニットである。
【００２３】
貯蔵装置が、以下のパラメータの内少なくとも１つを貯蔵するように構成されていると有利であることがわかっている。すなわち、電気化学セル若しくはバッテリ内で既に行われた充電サイクルの数、電気化学セル若しくはバッテリ内で既に行われた充電サイクルの経過、最後のフル充電の際の電気化学セル若しくはバッテリの容量、電気化学セル若しくはバッテリの最初の容量、最後のフル充電の際の電気化学セル若しくはバッテリの最大電圧、電気化学セル若しくはバッテリの最初の電圧、又は、電気化学セル若しくはバッテリの製造者である。
【００２４】
更に、電気化学セルは、無線信号伝達ユニットを通じて電気化学セル又はバッテリを作動するために構成された作動装置を有していても良い。
【００２５】
加えて、本発明は、自動車内で使用するために構成された、当該電気化学セルのアセンブリにも関連する。特に、本発明は、前記電気化学セルを複数有しているバッテリに関連する。
【００２６】
当該態様は、誤った取り付けを行った場合の電気化学セルの破損が回避され得るという利点を有している。
【００２７】
本発明の記載された実施形態及び更なる実施形態の特徴を、有利には、互いに組み合わせることができる。それによって、当業者は、ここでは最後まで、完全には記載できない本発明の更なる実施形態を利用することができる。
【００２８】
以下に、本発明を、好ましい実施例を基に、図を用いて詳細に説明する。図面に示されるのは以下の通りである。
【図面の簡単な説明】
【００２９】
【図１ａ】当該方法の第１の実施例に係る電気化学セル又はバッテリの取り扱い及び保守に関するフローチャートの図である。
【図１ｂ】当該方法の第１の実施例の変型例に係る電気化学セル又はバッテリの取り扱い及び保守に関するフローチャートの図である。
【図２ａ】当該方法の第２の実施例に係る電気化学セル又はバッテリの取り扱い及び保守に関するフローチャートの図である。
【図２ｂ】当該方法の第２の実施例の変型例に係る電気化学セル又はバッテリの取り扱い及び保守に関するフローチャートの図である。
【図３ａ】当該方法の第３の実施例に係る電気化学セル又はバッテリの取り扱い及び保守に関するフローチャートの図である。
【図３ｂ】当該方法の第２の実施例の変型例に係る電気化学セル又はバッテリの取り扱い及び保守に関するフローチャートの図である。
【図４ａ】当該方法の第４の実施例に係る電気化学セル又はバッテリの取り扱い及び保守に関するフローチャートの図である。
【図４ｂ】当該方法の第２の実施例の変型例に係る電気化学セル又はバッテリの取り扱い及び保守に関するフローチャートの図である。
【図５】セルに関する第１の実施例に係る電気化学セルの概略図である。
【図６】セルに関する第２の実施例に係る電気化学セルの概略図である。
【図７】セルに関する第３の実施例に係る電気化学セルの概略図である。
【図８】セルに関する第４の実施例に係る電気化学セルの概略図である。
【発明を実施するための形態】
【００３０】
図１ａは、本発明に係る電気化学セル１又はバッテリの取り扱い及び保守方法に関する第１の実施例のフローチャートを示している。当該実施例によると、ステップＳ１において、電気化学セル１又はバッテリのパラメータデータＤＰａｒ．が検出され、ステップＳ２において、検出されたパラメータデータＤＰａｒ．が制御部３に供給される。好ましくは、制御部３は、バッテリマネジメント機能を有するセル制御部として構成され得る。更に、セル制御部は、バッテリマネジメント機能を有していても良い。
【００３１】
供給されたパラメータデータＤＰａｒ．から、制御部３を用いて、制御データＤＳｗｔ．が算出され、当該制御データは、ステップＳ４において、好ましくは非揮発性メモリ、特にフラッシュメモリを有し得る貯蔵装置５に供給される。ステップＳ５において、制御データＤＳｗｔ．は、データ伝送ユニット２に供給され、ステップＳ６において、制御データＤＳｗｔ．は、図示されていない表示ユニットに伝送される。データ伝送ユニット２は、表示ユニットへの有線データ伝送のための接続部又は無線データ伝送のための部材、特にＲＦＩＤを有することが可能である。
【００３２】
ステップＳ８において、自動的に、及び／又は、表示ユニットのユーザによって、伝送された制御データＤＳｗｔ．が、少なくとも１つの所定の制御値ＷＳｗｔ．を有するかどうかが決定される。制御データＤＳｗｔ．が少なくとも１つの所定の制御値を有する場合、ステップＳ９において指示が出される。好ましくは、ステップＳ９は、以下のステップの内少なくとも１つを有している。すなわち、電気化学セル１若しくはバッテリをデータ伝送ユニット２を通じて作動するステップＳ１０、電気化学セル１の処理を実行するステップＳ１１、又は、電気化学セル１を輸送に供するステップＳ１２である。
【００３３】
図１ｂは、電気化学セル１又はバッテリの取り扱い及び保守方法に関する第１の実施例の変型例のフローチャートを示している。繰り返しを避けるために、以下に、第１の実施例との差異のみを記載し、当該方法のその他のステップについては、その記載が指摘される。第１の実施例の変型例では、ステップＳ８の代わりに、ステップＳ８’において、伝送された制御データＤＳｗｔ．が所定の制御値ＷＳｗｔ．を有さないかどうかが決定される。制御データＤＳｗｔ．が所定の制御値ＷＳｗｔ．を有さない場合、ステップＳ９において指示が出される。本発明によると、第１の実施例の図示されていない更なる変型例では、ステップＳ８’’において、第１の所定の制御値ＷＳｗｔ．が存在するか、及び／又は、第２の所定の制御値ＷＳｗｔ．が存在しないかを決定することも可能である。
【００３４】
図２ａは、本発明に係る電気化学セル１又はバッテリの取り扱い及び保守方法に関する第２の実施例のフローチャートを示している。繰り返しを避けるために、以下に、第１の実施例との差異のみを記載し、当該方法のその他のステップについては、その記載が指摘される。第２の実施例では、ステップＳ７において、電気化学セル１又はバッテリに割り当てられたバーコード情報が、好ましくは表示ユニットに接して配置された、又は、表示ユニットに配設されたバーコード読み出し装置によって読み出される。ステップＳ８ｂにおいて、自動的に、及び／又は、表示ユニットのユーザによって、ステップＳ７において読み出されたバーコード情報に応じて、伝送された制御データＤＳｗｔ．が、少なくとも１つの所定の制御値ＷＳｗｔ．を有するかどうかが決定される。
【００３５】
図２ｂは、電気化学セル１又はバッテリの取り扱い及び保守方法に関する第２の実施例の変型例のフローチャートを示している。繰り返しを避けるために、以下に、第２の実施例との差異のみを記載し、当該方法のその他のステップについては、その記載が指摘される。第２の実施例の変型例では、ステップＳ８ｂの代わりに、ステップＳ８ｂ’において、ステップＳ７で読み出されたバーコード情報に応じて、伝送された制御データＤＳｗｔ．が所定の制御値ＷＳｗｔ．を有さないかどうかが決定される。制御データＤＳｗｔ．が所定の制御値ＷＳｗｔ．を有さない場合、ステップＳ９において指示が出される。本発明によると、第１の実施例の図示されていない更なる変型例では、ステップＳ８ｂ’’において、ステップＳ７で読み出されたバーコード情報に応じて、第１の所定の制御値ＷＳｗｔ．が存在するか、及び／又は、第２の所定の制御値ＷＳｗｔ．が存在しないかを決定することも可能である。
【００３６】
図３ａは、本発明に係る電気化学セル１又はバッテリの取り扱い及び保守方法に関する第３の実施例のフローチャートを示している。当該実施例によると、ステップＳ１において、電気化学セル１又はバッテリのパラメータデータＤＰａｒ．が検出され、ステップＳ４ａにおいて、検出されたパラメータデータＤＰａｒ．が貯蔵装置５に供給される。好ましくは、貯蔵装置５は、非揮発性メモリ、特にフラッシュメモリを有し得る。ステップＳ５ａにおいて、パラメータデータＤＰａｒ．は、データ伝送ユニット２に供給され、ステップＳ６ａにおいて、パラメータデータＤＰａｒ．は、図示されていない表示ユニットに伝送される。データ伝送ユニット２は、表示ユニットへの有線データ伝送のための接続部又は無線データ伝送のための部材、特にＲＦＩＤを有することが可能である。
【００３７】
ステップＳ８ａにおいて、自動的に、及び／又は、表示ユニットのユーザによって、伝送されたパラメータデータＤＰａｒ．が、少なくとも１つの所定のパラメータ値ＷＰａｒ．を有するかどうかが決定される。伝送されたパラメータデータＤＰａｒ．が少なくとも１つの所定のパラメータ値ＷＰａｒ．を有する場合、ステップＳ９において指示が出される。好ましくは、ステップＳ９は、以下のステップの内少なくとも１つを有している。すなわち、電気化学セル１若しくはバッテリをデータ伝送ユニット２を通じて作動するステップＳ１０、電気化学セル１又はバッテリの処理を実行するステップＳ１１、又は、電気化学セル１若しくはバッテリを輸送に供するステップＳ１２である。
【００３８】
図３ｂは、電気化学セル１又はバッテリの取り扱い及び保守方法に関する第３の実施例の変型例のフローチャートを示している。繰り返しを避けるために、以下に、第３の実施例との差異のみを記載し、当該方法のその他のステップについては、その記載が指摘される。第３の実施例の変型例では、ステップＳ８ａの代わりに、ステップＳ８ａ’において、伝送されたパラメータデータＤＰａｒ．が、所定のパラメータ値ＷＰａｒ．を有さないかどうかが決定される。伝送されたパラメータデータＤＰａｒ．が所定のパラメータ値ＷＰａｒ．を有さない場合、ステップＳ９において指示が出される。本発明によると、第１の実施例の図示されていない更なる変型例では、ステップＳ８ａ’’において、第１の所定のパラメータ値ＷＰａｒ．が存在するか、及び／又は、第２の所定のパラメータ値ＷＰａｒ．が存在しないかを決定することも可能である。
【００３９】
図４ａは、本発明に係る電気化学セル１又はバッテリの取り扱い及び保守方法に関する第４の実施例のフローチャートを示している。繰り返しを避けるために、以下に、第３の実施例との差異のみを記載し、当該方法のその他のステップについては、その記載が指摘される。第２の実施例では、ステップＳ７において、電気化学セル１又はバッテリに割り当てられたバーコード情報が、好ましくは表示ユニットに接して配置された、又は、表示ユニットに配設されたバーコード読み出し装置によって読み出される。ステップＳ８ｃにおいて、自動的に、及び／又は、表示ユニットのユーザによって、ステップＳ７において読み出されたバーコード情報に応じて、伝送されたパラメータデータＤＰａｒ．が、少なくとも１つの所定のパラメータ値ＷＰａｒ．を有するかどうかが決定される。
【００４０】
図４ｂは、電気化学セル１又はバッテリの取り扱い及び保守方法に関する第４の実施例の変型例のフローチャートを示している。繰り返しを避けるために、以下に、第４の実施例との差異のみを記載し、当該方法のその他のステップについては、その記載が指摘される。第４の実施例の変型例では、ステップＳ８ｃの代わりに、ステップＳ８ｃ’において、ステップＳ７で読み出されたバーコード情報に応じて、伝送されたパラメータデータＤＰａｒ．が所定のパラメータ値ＷＰａｒ．を有さないかどうかが決定される。パラメータデータＤＰａｒ．が所定のパラメータ値ＷＰａｒ．を有さない場合、ステップＳ９において指示が出される。本発明によると、第１の実施例の図示されていない更なる変型例では、ステップＳ８ｃ’’において、ステップＳ７で読み出されたバーコード情報に応じて、第１の所定のパラメータ値ＷＰａｒ．が存在するか、及び／又は、第２の所定のパラメータ値ＷＰａｒ．が存在しないかを決定することも可能である。
【００４１】
図５から図８は、本発明に係る電気化学セル１の実施例を概略的に示した上面図及び横断面図である。
【００４２】
図５に示されたセルの第１の実施例によると、電気化学セル１は、データ伝送ユニット２と、好ましくはバッテリマネジメントを備えたセル制御部として構成可能な制御部３と、センサ４と、貯蔵装置５とを有しており、当該貯蔵装置は、好ましくはセル制御部３に接して、又は、当該セル制御部内に配置されており、非揮発性メモリ、特にフラッシュメモリを有することが可能である。図５に示された第１の実施例によると、センサ４は、制御部３だけではなく、データ伝送ユニット２とも接続され得る。更に、電気化学セル１は、好ましくは制御部３と接続された保護装置６、特にＰＴＣサーミスタ又は電流遮断装置を有していても良い。更に、電気化学セル１に、図示されていないバーコード情報を取り付けても良い。
【００４３】
図６に示されたセルの第２の実施例によると、第１の実施例とは異なり、センサ４をデータ伝送ユニット２に直接接続するのではなく、制御部３を通じて間接的にのみデータ伝送ユニット２に接続することも可能である。
【００４４】
図７に示されたセルの第３の実施例によると、第１の実施例とは異なり、センサ４を保護装置６に接続することも可能である。
【００４５】
図８に示されたセルの第４の実施例によると、第１の実施例とは異なり、センサ４をデータ伝送ユニット２に直接接続するのではなく、制御部３を通じて間接的にのみデータ伝送ユニット２に接続すること、及び、センサ４を保護装置６に接続することが可能である。
【００４６】
図示されていない更なる実施例によると、貯蔵装置５を制御部３ではなく、センサ４又は保護装置６又はデータ伝送ユニット２に配設することも可能である。
【００４７】
更に、本発明は、当該電気化学セルを有するバッテリ、特に当該電気化学セルを有する、自動車内で使用するために構成されたバッテリに関する。
【符号の説明】
【００４８】
１  電気化学セル
２  無線信号伝達ユニット
３  セル制御部
４  センサ
５  貯蔵装置
６  保護装置
ＤＰａｒ．  パラメータデータ
ＤＳｗｔ．  制御データ
ＷＰａｒ．  パラメータ値
ＷＳｗｔ．  制御値
Ｓ１  電気化学セル又はバッテリのパラメータデータを検出する
Ｓ２  検出されたパラメータデータをセル制御部に供給する
Ｓ３  供給されたパラメータデータに応じて制御データを算出する
Ｓ４  制御データを貯蔵装置に供給する
Ｓ４ａ  検出されたパラメータデータを貯蔵装置に供給する
Ｓ５  貯蔵装置からデータ伝送ユニットに制御データを読み出す
Ｓ５ａ  貯蔵装置からデータ伝送ユニットに、貯蔵されたパラメータデータを読み出す
Ｓ６  読み出された制御データをデータ伝送ユニットを通じて表示装置に伝送する
Ｓ６ａ  読み出されたパラメータデータをデータ伝送ユニットを通じて表示装置に伝送する
Ｓ７  電気化学セル又はバッテリに割り当てられたバーコード情報を読み出す
Ｓ８  制御データが所定の制御値を有するかを決定する
Ｓ８’  制御データが所定の制御値を有さないかを決定する
Ｓ８ａ  パラメータデータが所定のパラメータ値を有するかを決定する
Ｓ８ａ’  パラメータデータが所定のパラメータ値を有さないかを決定する
Ｓ８ｂ  制御データが所定の制御値を有するかを読み出されたバーコード情報に応じて決定する
Ｓ８ｂ’  制御データが所定の制御値を有さないかを読み出されたバーコード情報に応じて決定する
Ｓ８ｃ  パラメータデータが所定のパラメータ値を有するかを読み出されたバーコード情報に応じて決定する
Ｓ８ｃ’  パラメータデータが所定のパラメータ値を有さないかを読み出されたバーコード情報に応じて決定する
Ｓ９  指示を出す
Ｓ１０  データ伝送ユニットを通じて電気化学セル又はバッテリを作動する
Ｓ１１  電気化学セル又はバッテリの処理を実行する
Ｓ１２  電気化学セル又はバッテリを輸送に供する
【図５】
2014511100.tif 000003
【図６】
2014511100.tif 000004
【図７】
2014511100.tif 000005
【図８】
2014511100.tif 000006
【図１ａ】
2014511100.tif 000007
【図１ｂ】
2014511100.tif 000008
【図２ａ】
2014511100.tif 000009
【図２ｂ】
2014511100.tif 000010
【図３ａ】
2014511100.tif 000011
【図３ｂ】
2014511100.tif 000012
【図４ａ】
2014511100.tif 000013
【図４ｂ】
2014511100.tif 000014
【国際調査報告】
2014511100.tif 000015
2014511100.tif 000016
2014511100.tif 000017
2014511100.tif 000018
2014511100.tif 000019
2014511100.tif 000020